(57)【特許請求の範囲】
【請求項１】
天井部材を吊り下げ支持する吊り金具を、乾式屋根を構成するデッキプレートに設置孔を開けて取り付ける、吊り金具の取付構造であって、
前記デッキプレートは、頂部に水平面部を有し同水平面部の両側に側面部を備える凸峰部が形成され、両側面部には対称形状となる顎部が設けられていること、
前記吊り金具は、前記天井部材を連結するネジ部を有する吊り部と、同吊り部の頂部と連結され同吊り部と直交する方向へ延びる水平拡張部と、同水平拡張部の両端から下向きに前記顎部を抱持する形状に屈曲又は湾曲された抱持部とで成ること、
前記吊り金具は、前記デッキプレートの凸峰部の水平面部に設けられた設置孔へ吊り部が上方位置から挿入されてデッキプレートの下方へ突き出され、水平拡張部が凸峰部の長さ方向に対してたすき掛けの如く片傾斜となる配置位置で、抱持部が凸峰部の両側面の顎部を抱持して取り付けられていることを特徴とする、吊り金具の取付構造。
【請求項２】
天井部材を吊り下げ支持する吊り金具を、乾式屋根を構成するデッキプレートに設置孔を開けて取り付ける、吊り金具の取付構造であって、
前記デッキプレートは、頂部に水平面部を有し同水平面部の両側に側面部を備える凸峰部が形成され、両側面部には対称形状となる顎部が設けられていること、
前記吊り金具は、前記天井部材を連結するネジ部を有する吊り部と、同吊り部の頂部と連結され同吊り部と直交する方向へ延びる水平拡張部と、同水平拡張部の両端から下向きに前記顎部を抱持する形状に屈曲又は湾曲された抱持部とで成ること、
前記吊り金具は、前記デッキプレートの凸峰部の水平面部に設けられた設置孔へ吊り部が上方位置から挿入されてデッキプレートの下方へ突き出され、前記水平拡張部は、平面視がＸ字形状に配置されたアーム材と、同アーム材を回動可能に連結する支持材とで成り、前記アーム材は、取り付けられたバネ材の弾性力により少なくとも片側の対峙するアーム材同士の距離が可変可能であり、前記バネ材の弾性力により、抱持部が凸峰部の顎部を抱持して取り付けられていることを特徴とする、吊り金具の取付構造。
【請求項３】
天井部材を吊り下げ支持する吊り金具を、乾式屋根を構成するデッキプレートに設置孔を開けて取り付ける、吊り金具の取付方法であって、
前記デッキプレートは、頂部に水平面部を有し同水平面部の両側に側面部を備える凸峰部を形成し、両側面部に対称形状となる顎部を設けており、
前記吊り金具は、前記天井部材を連結するネジ部を有する吊り部と、同吊り部の頂部と連結され同吊り部と直交する方向へ延びた水平拡張部と、同水平拡張部の両端から下向きに前記顎部を抱持する形状に屈曲又は湾曲した抱持部とで成り、
前記吊り金具は、前記デッキプレートの凸峰部の水平面部に設けた設置孔へ吊り部を上方位置から挿入し、水平拡張部を吊り部を中心に凸峰部の長さ方向に対してたすき掛けの如く片傾斜となる配置位置に水平回動させて、抱持部を凸峰部の顎部へ嵌め合わせていることを特徴とする、吊り金具の取付方法。
【請求項４】
天井部材を吊り下げ支持する吊り金具を、乾式屋根を構成するデッキプレートに設置孔を開けて取り付ける、吊り金具の取付方法であって、
前記デッキプレートは、頂部に水平面部を有し同水平面部の両側に側面部を備える凸峰部を形成し、両側面部に対称形状とする顎部が設けており、
前記吊り金具は、雄ねじ又は下方に前記天井部材を連結する開口部を有しその内周面に雌ねじ形成した吊り部と、吊り部の頂部と連結され同吊り部と直交する方向へ延び、その平面視がＸ字形状に配置されたアーム材と、同アーム材を回動可能に連結する支持材とで成る水平拡張部と、同水平拡張部の両端から下向きに前記顎部を抱持する形状に屈曲又は湾曲された抱持部とで成り、
前記吊り金具は、少なくとも片側の対峙するアーム材同士の距離を可変させるバネ材を備えており、
前記吊り金具は、前記デッキプレートの凸峰部の水平面部の中央位置に設けた設置孔へ吊り部を上方位置から挿入し、前記対峙するアーム材同士の距離をバネ材の弾性力により縮めて、前記抱持部を凸峰部の顎部へ配置し、再びアーム材同士の距離をバネ材の弾性力により戻して吊り金具の抱持部を凸峰部の顎部へ嵌め合わせることを特徴とする、吊り金具の取付方法。
【発明の詳細な説明】
【技術分野】
【０００１】
この発明は、天井部材を吊り下げ支持する吊り金具を、乾式屋根を構成するデッキプレートに設置孔を開けて取り付ける取付構造及び取付方法の技術分野に属し、更に云うと、吊り金具をデッキプレートの上方位置（屋根側）から同プレートに設けた設置孔へ挿入して取り付ける構成とした吊り金具の取付構造及び取付方法に関する。
【背景技術】
【０００２】
従来、乾式屋根及び湿式屋根を構成するデッキプレートには、天井部材を吊り下げ支持する吊り金具が取り付けられている。例えば、デッキプレートの上方位置（屋根側）から吊り金具を取り付ける取付構造及び取付方法が数多く実用に供されており、下記の特許文献１、２に開示されている。  
前記特許文献１には、図１５Ａ、Ｂに示すように、吊り金具１５は、先端にフック部、基端に雄ねじが形成された係止部１５０ａを有する吊り部１５０と、同吊り部１５０を貫通する押さえ板１５１、収縮可能なアコーディオン状の筒体を有する締結部１５２とで構成されている。上記吊り金具１５は、デッキプレート１５３に設けられた設置孔へ、その吊り部１５０を先端から挿入したのち、同吊り部１５０を上方へ引っ張り上げると前記アコーディオン状の締結部１５２は伸張する。その状態で引っ張りをやめると吊り部１５０の係止部１５０ａがアコーディオン状の締結部１５２の各上面を押圧して吊り金具１５をデッキプレート１５３へ取り付けて固定するので、ボルト結合や工具による面倒な作業が無くとも容易に取付作業が行える点が記載されている。
【０００３】
また、特許文献２には、図１６、図１７に示すように、吊り金具１６は、ねじ孔１６０ａが形成された筒体１６０と、その上部に形成された笠状ヘッド１６１で成るインナ部材１６２と、デッキプレート１６３の設置孔１６３ａ縁近傍に載る顎状ストッパー１６４と、スリット１６５ａにより拡股可能な係止レグ１６５とを備えるアウタ部材１６６とで構成されている。図１７Ａに示すように、前記アウタ部材１６６にインナー部材１６２を装着し、上記設置孔１６３ａへアウタ部材１６６の係止レグ１６５を顎状ストッパ１６４に当たるまで挿入して嵌着し、図１７Ｂに示すように、インナ部材１６２の笠状ヘッド１６１を叩くと、インナ部材１６２の筒体１６０が設置孔１６３ａを貫通しアウタ部材１６６の係止レグ１６５が拡股されてデッキプレート１６３を挟み込むことで、吊り金具１６をデッキプレート１６３へ取り付ける（図１７Ｃ）ことが記載されている。
【先行技術文献】
【特許文献】
【０００４】
【特許文献１】実公昭６１−２７３８３号公報
【特許文献２】特開２００６−２６９１６号公報
【発明の概要】
【発明が解決しようとする課題】
【０００５】
上記の特許文献１、２に開示された先行技術には、幾つかの問題点がある。
先ず、特許文献１記載の吊り金具１５は、図１５に示す通り吊り金具１５を構成する吊り部１５０の基端がデッキプレート１５３の上面側へ突出している。しかも、図示例では、デッキプレート１５３の凸部（山部）に吊り金具１５が取り付けられている。したがって、特に乾式屋根においては、デッキプレート１５３の上面に断熱材や防水シートなどの屋根部材が設置されるが、その際に、ボルトが邪魔で設置することが困難になるし、ボルトを切るのは非常に面倒である。
更に、吊り金具１５は、ボルト接合せず単に締結部１５２の収縮により固定する構成である。つまり、上下方向の拘束力のみ期待した構成である。したがって、乾式屋根の場合にはコンクリート打設が無いため、水平方向の揺れや振動に対する拘束力が弱いため大きな揺れが生じた際には不安定になる。
【０００６】
また、特許文献２に開示された吊り金具の取付構造は、吊り金具１６をその笠状ヘッド１６１を叩き込んでデッキプレート１６３へ取り付けるため、デッキプレート１６３の上面へ吊り金具１６の部材が突出する虞がない点は認められる。しかし、この吊り金具１６の固定は、単に叩き込みによりデッキプレート１６３を挟む構成であるため固定力に乏しい。したがって、吊り金具１６の取付後、同吊り金具１６の筒体１６０内へ天井部材の吊りボルトをねじ込む際に、共回りが生じてしまう。この共回りを防止するためには、吊り金具１６をビス止めなどにより固定する面倒な作業が必要となっていた。
以上、特許文献１、２の問題点を挙げたが、要するに乾式屋根におけるデッキプレートと吊り金具の効果的な取付構造及び取付方法は開示されていない。
【０００７】
本発明の目的は、乾式屋根を構成するデッキプレートへ吊り金具を効果的に取付る構造及び取付方法を提供することであり、特に吊り金具が屋根部材の設置作業に支障をきたすことが無く、吊り金具をデッキプレートへ簡易な方法で確実に取り付けられて、共回りを防止できる吊り金具の取付構造及び取付方法を提供することにある。
【課題を解決するための手段】
【０００８】
上記課題を解決するための手段として、請求項１に記載した発明に係る吊り金具の取付構造は、
天井部材を吊り下げ支持する吊り金具を、乾式屋根を構成するデッキプレートに設置孔を開けて取り付ける、吊り金具の取付構造であって、
前記デッキプレートは、頂部に水平面部を有し同水平面部の両側に側面部を備える凸峰部が形成され、両側面部には対称形状となる顎部が設けられていること、
前記吊り金具は、前記天井部材を連結するネジ部を有する吊り部と、同吊り部の頂部と連結され同吊り部と直交する方向へ延びる水平拡張部と、同水平拡張部の両端から下向きに前記顎部を抱持する形状に屈曲又は湾曲された抱持部とで成ること、
前記吊り金具は、前記デッキプレートの凸峰部の水平面部に設けられた設置孔へ吊り部が上方位置から挿入されてデッキプレートの下方へ突き出され、水平拡張部が凸峰部の長さ方向に対してたすき掛けの如く片傾斜となる配置位置で、抱持部が凸峰部の両側面の顎部を抱持して取り付けられていることを特徴とする。
【０００９】
請求項２に記載した発明に係る吊り金具の取付構造は、天井部材を吊り下げ支持する吊り金具を、乾式屋根を構成するデッキプレートに設置孔を開けて取り付ける、吊り金具の取付構造であって、
前記デッキプレートは、頂部に水平面部を有し同水平面部の両側に側面部を備える凸峰部が形成され、両側面部には対称形状となる顎部が設けられていること、
前記吊り金具は、前記天井部材を連結するネジ部を有する吊り部と、同吊り部の頂部と連結され同吊り部と直交する方向へ延びる水平拡張部と、同水平拡張部の両端から下向きに前記顎部を抱持する形状に屈曲又は湾曲された抱持部とで成ること、
前記吊り金具は、前記デッキプレートの凸峰部の水平面部に設けられた設置孔へ吊り部が上方位置から挿入されてデッキプレートの下方へ突き出され、前記水平拡張部は、平面視がＸ字形状に配置されたアーム材と、同アーム材を回動可能に連結する支持材とで成り、前記アーム材は、取り付けられたバネ材の弾性力により少なくとも片側の対峙するアーム材同士の距離が可変可能であり、前記バネ材の弾性力により、抱持部が凸峰部の顎部を抱持して取り付けられていることを特徴とする。
【００１２】
請求項３に記載した発明に係る吊り金具の取付方法は、
天井部材を吊り下げ支持する吊り金具を、乾式屋根を構成するデッキプレートに設置孔を開けて取り付ける、吊り金具の取付方法であって、
前記デッキプレートは、頂部に水平面部を有し同水平面部の両側に側面部を備える凸峰部を形成し、両側面部に対称形状となる顎部を設けており、
前記吊り金具は、前記天井部材を連結するネジ部を有する吊り部と、同吊り部の頂部と連結され同吊り部と直交する方向へ延びた水平拡張部と、同水平拡張部の両端から下向きに前記顎部を抱持する形状に屈曲又は湾曲した抱持部とで成り、
前記吊り金具は、前記デッキプレートの凸峰部の水平面部に設けた設置孔へ吊り部を上方位置から挿入し、水平拡張部を吊り部を中心に凸峰部の長さ方向に対してたすき掛けの如く片傾斜となる配置位置に水平回動させて、抱持部を凸峰部の顎部へ嵌め合わせていることを特徴とする。
【００１３】
請求項４に記載した発明に係る吊り金具の取付方法は、
天井部材を吊り下げ支持する吊り金具を、乾式屋根を構成するデッキプレートに設置孔を開けて取り付ける、吊り金具の取付方法であって、
前記デッキプレートは、頂部に水平面部を有し同水平面部の両側に側面部を備える凸峰部を形成し、両側面部に対称形状とする顎部が設けており、
前記吊り金具は、雄ねじ又は下方に前記天井部材を連結する開口部を有しその内周面に雌ねじ形成した吊り部と、吊り部の頂部と連結され同吊り部と直交する方向へ延び、その平面視がＸ字形状に配置されたアーム材と、同アーム材を回動可能に連結する支持材とで成る水平拡張部と、同水平拡張部の両端から下向きに前記顎部を抱持する形状に屈曲又は湾曲された抱持部とで成り、
前記吊り金具は、少なくとも片側の対峙するアーム材同士の距離を可変させるバネ材を備えており、
前記吊り金具は、前記デッキプレートの凸峰部の水平面部の中央位置に設けた設置孔へ吊り部を上方位置から挿入し、前記対峙するアーム材同士の距離をバネ材の弾性力により縮めて、前記抱持部を凸峰部の顎部へ配置し、再びアーム材同士の距離をバネ材の弾性力により戻して吊り金具の抱持部を凸峰部の顎部へ嵌め合わせることを特徴とする。
【発明の効果】
【００１４】
請求項１〜４に記載した吊り金具の取付構造及び取付方法は、以下の効果を奏する。
本発明の乾式屋根を構成するデッキプレートは、頂部に水平面部を有し同水平面部の両側に側面部を備える凸峰部が形成され、両側面部に対称形状とする顎部を設けた構成とされている。また、吊り金具は、前記天井部材を連結するネジ部を有する吊り部と、同吊り部の頂部と連結され、同吊り部と直交する方向へ延びる水平拡張部と、同水平拡張部両端から下向きに前記顎部を抱持する形状に屈曲又は湾曲された抱持部とで構成されている。
上記吊り金具は、前記デッキプレートの凸峰部の水平面部の設置孔へ吊り部が上方位置から挿入されてデッキプレートの下方へ突き出され、前記抱持部が凸峰部の顎部を抱持して、吊り金具をデッキプレートへ取付ける構造である。
この取付構造は、デッキプレートの上面へ部材が突出することが一切無い構造である。つまり、吊り部の頂部には、水平拡張部が設けられているため、天井部材が吊り金具の上方へ突出することがなくフラットな上面を実現できる。したがって、デッキプレートの上面に断熱材や防水シートから成る屋根材を設置する際に吊り金具が支障を及ぼすことがなく乾式屋根において有効な取付構造及び取付方法である。また、吊り金具は、その抱持部がデッキプレートの凸峰部の顎部へきっちり嵌り合って固定する構成であるため、面倒なボルト接合やたたき込み作業をせず非常に簡易な方法で取り付けることが可能である。
【００１５】
また、請求項１及び３によれば、吊り金具は、その水平拡張部が凸峰部の長さ方向に対してたすき掛けの如く片傾斜の配置位置に水平回動されて、凸峰部の顎部に取り付けられる構成である。つまり、水平拡張部の全長は凸峰部の幅よりも長い。したがって、吊り金具は、その吊り部をデッキプレートの凸峰部の設置孔へ上方位置から挿入し、前記水平拡張部を吊り部を中心に水平回動させて、抱持部と凸峰部の顎部とを嵌め合わせてデッキプレートへ取り付けることができる。つまり、吊り金具は、吊り部を水平拡張部の最大長さを得られる角度で挿入し、前記抱持部と顎部の嵌め合わせ位置で吊りボルトの螺着方向へ水平回動するのみで両者をきっちりと取付られるので非常に簡単である。のみならず、両者がきっちり嵌め合わさるので、天井部材を吊り部へ螺着する際、共回りすることを確実に防止できる。
【００１６】
更に、請求項２及び４によれば、吊り金具の水平拡張部は、平面視がＸ字形状に配置されたアーム材と、同アーム材を回動可能に連結する支持材とで成り、少なくとも片側の対峙するアーム材同士の距離を一定の範囲内で可変可能に取り付けられたバネ材の弾性力により抱持部を凸峰部の顎部へ嵌め合わせる構造である。
したがって、上記吊り金具の吊り部をデッキプレートの凸峰部の設置孔へ上方位置から挿入し、前記対峙するアーム材同士の距離をバネ材の弾性力により縮めて、前記抱持部を凸峰部の顎部へ配置し、再びアーム材同士の距離をバネ材の弾性力により戻して吊り金具の抱持部を凸峰部の顎部へ嵌め合わせている。つまり、バネの反発力を効果的に利用して取付作業が簡易にならしめるのみならず、その反発力により天井部材を螺着する際に共回りを防止できるし、浮き上がりを防止することもできる。
【図面の簡単な説明】
【００１７】
【図１】本発明に係る吊り金具の取付構造を示す側面図である。
【図２】Ａは吊り金具の平面図である。ＢはＡの正面図である。
【図３】吊り金具をデッキプレートへ取り付ける概要を示す平面図である。
【図４】Ａ−Ｃは、吊り金具をデッキプレートへ取り付ける概要を示す側面図である。
【図５】本発明に係る吊り金具の取付構造及び取付方法を実施し乾式屋根を完成させた状態の一例を示した側面図である。
【図６】本発明の実施例２の取付構造を示す側面図である。
【図７】Ａは、図６の実施例の吊り金具の平面図である。ＢはＡの正面図である。ＣはＡの側面図である。
【図８】実施例２における吊り金具をデッキプレートへ取り付ける概要を示す平面図である。
【図９】本発明の実施例３の取付構造を示す側面図である。
【図１０】実施例３における吊り金具をデッキプレートへ取り付ける概要を示す平面図である。
【図１１】本発明の実施例４の取付構造を示す側面図である。
【図１２】Ａは図１１の実施例の吊り金具の平面図である。ＢはＡの正面図である。
【図１３】実施例４における吊り金具をデッキプレートへ取り付けた状態を示す平面図である。
【図１４】Ａ〜Ｃは、図１２に示した吊り金具をデッキプレートへ取り付ける概要を示す側面図である。
【図１５】Ａ、Ｂは従来の吊り金具とデッキプレートの取付構造を示す参考図である。
【図１６】従来の吊り金具を示す参考図である。
【図１７】Ａ〜Ｃは図１６の吊り金具をデッキプレートへ取り付ける要領を示す参考図である。
【発明を実施するための形態】
【００１８】
本発明は、天井部材３を吊り下げる吊り金具１を、乾式屋根を構成するデッキプレート２に設置孔２１ｂを開けて取り付ける、デッキプレート２と吊り金具１の取付構造及び取付方法である。
前記デッキプレート２には、頂部に水平面部２１を有し同水平面部２１の両側に側面部２２を備える凸峰部２０が形成され、両側面部２２間に対称形状とする顎部２２ａが設けられている。
前記吊り金具１は、前記天井部材３を連結するネジ部１０ｂを有する吊り部１０と、前記吊り部１０の頂部と連結され、同吊り部１０と直交する方向に延びる水平拡張部１１と、同水平拡張部１１の両端から下向きに前記顎部２２ａを抱持する形状に屈曲又は湾曲された抱持部１２とでなる。
上記吊り金具１は、デッキプレート２の凸峰部２０の設置孔２１ｂへ吊り部１０を上方位置から挿入し、吊り部１０を中心に前記水平拡張部１１を水平回動させて、抱持部１２を凸峰部２０の顎部２２ａへ嵌め合わせてデッキプレート２へ取り付けている。
【実施例１】
【００１９】
以下に、本発明を図示した実施例に基づいて説明する。
本発明は、図１、５に示すように、デッキプレート２の上面にコンクリートを打設しない所謂乾式屋根に好適に実施できるものであり、更に、天井部材３を吊り下げる吊り金具１を乾式屋根を構成するデッキプレート２の屋根側から取り付ける効果的な取付構造及び取付方法である。
【００２０】
先ず、上記吊り金具１が取り付けられるデッキプレート２について説明する。
前記デッキプレート２は、所謂波形鋼板であり上向き開口溝と下向き開口溝２０が交互に形成されるものである。本実施例では、特に前記吊り金具１が下向き開口溝２０へ取り付けられるため、下向き開口溝を凸峰部２０として説明し上向き開口溝については特に説明しない。
前記凸峰部２０は、その頂部に水平面部２１を有し、同水平面部２１の両側に側面部２２を備えている。この水平面部２１はその略中央位置に下向きに突出する窪み部２１ａがＶ字形状に備えられており、同窪み部２１ａの各所に後述の吊り金具１の吊り部１０を挿入する設置孔２１ｂが設けられている。また、両側面部２２、２２間に対称となる高さ位置と形状で水平方向へ突出する態様に一対の顎部２２ａ、２２ａが設けられている。この顎部２２ａは、一対である必要はなく複数対設けていても良い。
前記設置孔２１ｂは、水平面部２０に窪み部２１ａがある場合には、図示例のように中央位置ではなく、片側に偏心させた平らな位置に設けることが望ましい。
【００２１】
次に、本発明の吊り金具１について説明する。
前記吊り金具１は、図１、図２に示すように、下方に前記吊りボルト６を挿入する開口部１０ａを有し、その内周面にネジ部１０ｂである雌ねじが形成された鞘形状の吊り部１０と、前記吊り部１０の頂部と連結され、天井部材３の吊り下げ方向に対して直交方向に延びる水平拡張部１１と、同水平拡張部１１の両端から下方に延び、その先端が上記顎部２２ａを抱持可能に内方へ屈曲して段部１２ａが設けられた抱持部１２とで構成されている。
前記吊り部１０は、天井部材３の吊りボルト６の連結と鞘内への収納が可能な縦断面がコ字形状に形成されている。したがって、吊りボルト６を開口部１０ａから挿入してねじ込んでも吊り部１０内に収まり同ボルト６が上方へ突出することが無い。
また、吊り部１０は、鞘形状の限りではなく、棒形状としその外周面にネジ部１０ｂとして雄ねじを形成したものも同様に実施できる。
【００２２】
前記水平拡張部１１は、図２Ａ、Ｂが示すように、吊り部１０の頂部中心から竹蜻蛉の羽根の如く水平方向に延びており、取付時に凸峰部の長さ方向に対して襷掛けの如く片傾斜の配置となる形状に形成されている（図３下側参照）。つまり、吊り部１０の中心を通る放線Ｑ上にくるように角度が付けられている。因みに、この水平拡張部１１の前記角度と全長は、上記デッキプレート２の水平面部２１に載置した際に、同水平面部２１の幅より長くなるように設計されている。
また、前記両抱持部１２、１２は、前記凸峰部２０を構成する両側面部２２、２２の傾斜に合わせてハの字に傾斜されており、その段部１２ａも上記側面部２２の顎部２２ａを抱持可能な高さと形状とされている。この段部１２ａの対数は、前述の顎部２２ａの対数と併せて状況に応じて増減される。前記抱持部１２は図示例では顎部２２ａを抱持可能に、先端が内方へ屈曲した段部１２ａを有している湾曲形状でも同様に実施できるし、極論すると、抱持部１２は顎部を２２ａを抱持できる形状であれば、段部１２ａが無くても実施することができる。
【００２３】
上記構成の吊り金具１とデッキプレート２は、デッキプレート２の凸峰部２０の設置孔２１ｂへ吊り金具１の吊り部１０を屋根側から挿入し、凸峰部２０の下方へ突出させ、同吊り金具１の水平拡張部１１を吊り部１０を中心に水平回動させて、抱持部１２、１２の一対の段部１２ａ、１２ａを凸峰部２０の一対の顎部２２ａ、２２ａへ嵌め合わせて取り付ける構造とされている。
しかる後に、図５に示すように、断熱材４と防水シート５などの屋根部材を設置すると共に、前記吊り金具１の吊り部１０の開口部１０ａへ天井部材３の吊りボルト６を挿入して乾式屋根を構築する。
したがって、本発明の取付構造は、吊り金具１を取付後の屋根側面が図示のとおり天井部材３の吊りボルト６の突出や吊り金具１の突出が一切無いフラットな上面であるため、断熱材４や防水シート５の設置作業を効率良く行うことができるし、吊り金具１を単に水平回動させて上記抱持部１２を顎部２２ａへ嵌め合せられるので取付けが非常に簡単である。
【００２４】
次に、吊り金具１をデッキプレート２へ取り付ける取付方法を、図３、図４から詳しく説明する。
先ず、図４Ａに示すように、吊り金具１を、その吊り部１０をデッキプレート１の屋根側から凸峰部２０の設置孔２１ｂへ挿入する。具体的には、吊り金具１の水平拡張部１１が、図３の上側に示すように、凸峰部２０の幅方向に対して略水平となるように挿入し、その下面を凸峰部２０の水平面部２１の上面に載置する。即ち、水平拡張部１１の全長は上記したように凸峰部２０の水平面部２１の幅より長いため、凸峰部２０の幅方向に対して水平な角度にすれば容易に挿入し載置できる。また、このとき同時に吊り金具１の抱持部１２の段部１２ａと凸峰部２０の顎部２２ａとの位置合わせが行われる。これは、上記したように吊り金具１の段部ａの高さ位置が顎部２２ａの高さ位置と一致するように成形されているからである。
そして、この状態で図３の下方側及び図４Ｂに示すように、前記水平拡張部１１を吊り部１０を中心に右方向に水平回動させて、抱持部１２の段部１２ａ、１２ａと凸峰部２０の顎部２２ａ、２２ａとをきっちり嵌め合わせる（図４Ｃ参照）。この後、屋根材（断熱材４、防水シート５）が設置され、吊り金具１の吊り部１０へ吊りボルト６がねじ込まれ天井部材３が組み立てられる。
要するに、吊り金具１はその最大長さを得られる角度で挿入し、上記段部１２ａと顎部２２ａの嵌め合わせ位置で右方向へ水平回動するのみで両者をきっちりと取付られるので非常に簡単である。
【実施例２】
【００２５】
本発明は上記した実施例の限りではなく、図６〜図８に示す実施例２においても同様の技術的思想に基づいて実施できる。したがって、以下、実施例１との相違点を中心に説明する。
デッキプレート２は実施例１と同じである。実施例２に使用する吊り金具７は、端的に言うと、水平拡張部７１に、弾性力を発揮する弾性手段が設けられている点にある。即ち、水平拡張部７１は、平面視がＸ字形状に配置された弾性力を発揮する４つのアーム材で形成されている。具体的には、図７Ａ〜Ｃに示すように、吊り部７０の頂部に吊り下げ方向と直交する方向に延び、且つ４つのアーム材７１ｂ…と、同アーム材７１ｂを支持する２枚のプレート７１ａ、７１ａとで構成されている。
このプレート７１ａは、コア部が略円形状で対角線上に２つのアーム材７１ｂ、７１ｂを支持する延長部７１ｃ、７１ｃが２つ設けられている。上記構成のプレート７１ａを２枚互い違いに重ね合わせてピン接合されており、中心位置で回動可能に連結され、合計４つのアーム材７１ｂが平面視がＸ形状の配置となるように接合されて構成されている。前記Ｘ形状に配置する４つのアーム材７１ｂの角度及び全長は、図８の下側に示すように、デッキプレート２の凸峰部２０へ取り付けた際に、遊びのないぴったりの長さとなるように設計されている。因みに、図示例の限りではなくプレートを使用しない４つのアーム材のみで実施することも当然できるし、ハサミのように２本のアーム材を略中央位置で回動可能にピン接合して実施することも可能である。
更に、前記２枚のプレート材７１ａ、７１ａの対峙する延長部７１ｃ間に弾性力を発揮するバネ材７１ｄが設けられている。図７では右側の対峙する延長部７１ｃの間に設けられているが、左右に設けても良い。前記バネ材７１ｄは、延長部７１ｃの距離を保持すると共に、同延長部７１ｃの距離を縮める際に弾性力が働き、直ぐにＸ字形状に位置に戻ることに寄与する。
【００２６】
上記構成の吊り金具７は、その吊り部７０をデッキプレート２の凸峰部２０の設置孔２１ｂへ屋根側（上方位置）から挿入し、前記２枚のプレート材７１ａ、７１ａの延長部７１ｃ、７１ｃから延びる２つのアーム材７１ｂ、７１ｂ同士の距離をバネ材７１ｄの弾性力により縮めて、その抱持部７２の段部７２ａを凸峰部２０の顎部２２ａへ配置し、再び２つのアーム材７１ｂ、７１ｂ同士の距離をバネ材７１ｄの弾性力により戻してデッキプレート２へ取り付けるという非常に簡単な取付構造を実現している。
【００２７】
この吊り金具７の取付手順は、図８の上側に示すように、上記吊り金具７の吊り部７０を前記デッキプレート２の設置孔２１ｂへ屋根側から挿入すると共に、例えば右側の２つのアーム材７１ｂ、７１ｂを内方に寄るように力を加えると、上記２枚のプレート４ａがピン接合部で回動すると共に、前記２枚のプレート材７１ａ、７１ａの対峙する延長部７１ｃ、７１ｃ間に配置されたバネ材７１ｄが縮み、同延長部７１ｃ、７１ｃ間の距離が縮まり右側のアーム材７１ｂ、７１ｂが略平行になる。この時右側のアーム材７１ｂ、７１ｂは凸峰部２０の幅方向に対して最長長さを得られる。そして、吊り材７の抱持部７２の段部７２ａを凸峰部２０の顎部２２ａと位置を合わせた状態で、アーム材７１ｂ、７１ｂに加えてた力を弱めると、バネ材７１ｄの弾性力により２枚のプレート材４ａ、４ａが回動して対峙する延長部間の距離が初期位置（Ｘ形状）に戻り、吊り材７の抱持部７２の一対の段部７２ａと凸峰部２０の一対の顎部２２ａとしっかり嵌め合わさるのである。前記水平拡張部７１の有効幅は、凸峰部２０の幅とぴったり同じであり、バネ材７１ｄの持つ反発力を期待できるため、天井部材３の吊りボルト６を螺着する際の共回りや浮き上がりを確実に防止することができる。因みにこの後、屋根材（断熱材４、防水シート５）が設置され、吊り金具７の吊り部７０へ吊りボルト６がねじ込まれることは上述したとおりである。
【実施例３】
【００２８】
実施例２に示した吊り金具７は、例えば図９、１０に示したデッキプレートにおいても同様の技術的思想に基づいて実施できる。
つまり、小幅、低高な凸峰部２０’を有するデッキプレート２’であっても実施できる。
実施例３に示した吊り金具７’と実施例２の吊り金具７との違いは、単に水平拡張部７１’を構成するアーム材７１ｂ’が短いのみである。したがって、その取付構造及び取付方法は実施例２と全く同じである。
要するに、実施例２、実施例３に示した吊り金具７、７’は、アーム材７１ｂの長さを変更するのみで、デッキプレート２の大小様々な凸峰部に順応でき汎用性が高いという利点がある。
【実施例４】
【００２９】
上記実施例２、３において、吊り金具７、７’の水平拡張部７１、７１’に、弾性力を発揮する弾性手段を設け、その弾性力により凸峰部２０の顎部２２ａを抱持可能にすることを説明してきたが、この限りではなく図１１〜図１４に示す弾性手段によっても同様に実施できる。
実施例４に使用される吊り金具８は、要するに水平拡張部８１に設ける弾性手段としてクランプ構造を採用している。
図１２Ａ、Ｂに示すように、水平拡張部８１は、吊り部８０の頂部から吊り下げ方向に対して直交する方向に延びるプレート８１ａと、同プレート８１ａの左右端から水平方向に伸びる水平押さえアーム８１ｂ、８１ｂと、同プレート８１ａと接続され回動可能な回動手段８１ｄを有するクランプ部８１ｃとで構成されている。
前記左側の水平押さえアーム８１ｂは、前記クランプ部８１ｃの回動手段８１ｄ近傍に連結されており、右側の水平押さえアーム８１ｂは、プレート８１ａの右側端部に設けられたアーム支持部８１ｅへ回動可能に支持されている。上記左右の水平押さえアーム８１ｂの両端には、一対の段部８２ａ、８２ａを有する抱持部８２、８２が繋がっている点は上記した吊り金具１、７、７’と同じである。したがって、上記クランプ部８１ｃを上方へ上げて水平押さえアーム８１ｂの固定状態を解除すれば、左右の水平押さえアーム８１ｂは自由に回動できて、凸峰部２０の顎部２２ａへの位置合わせが容易にできる。さらに、吊り金具８の位置合わせを行った後クランプ部８１ｃを下ろすと、その弾性力により吊り金具８をしっかりとデッキプレート２の凸峰部２０へ取り付けられる構造である。
【００３０】
上記構成の吊り金具８の取付方法としては、図１４Ａに示すように、先ず水平拡張部８１のクランプ部８１ｃを上方へ上げて水平押さえアーム８１ｂの固定状態を解除した状態で、凸峰部２０の屋根側から吊り部８０を設置孔２１ｂへ挿入する。この際、回動可能な右側の水平押さえアーム８１ｂは、下方へ延びる抱持部８２の段部８２ａと凸峰部２０の右側の顎部２２ａとの嵌め合わせを行う。そして、図１４Ｂに示すように、左側の水平押さえアーム８１ｂは、下方へ延びる抱持部８２の段部８２ａを凸峰部２０の左側の顎部２２ａへ引っかけて用意する。この状態で、図１４Ｂから図１４Ｃに示すように、上方へ上げていたクランプ部８１ｃを下ろして、左右の水平押さえアーム８１ｂ、８１ｂを密実に固定し、吊り金具８をデッキプレート２へ取り付ける。この後、屋根材（断熱材４、防水シート５）が設置され、吊り金具８の吊り部８０へ吊りボルト６がねじ込まれることは上述したとおりである。
【００３１】
以上に本発明を図示した実施例に基づいて説明したが、本発明は、上記実施例の構成に限定されない。その目的と要旨を逸脱しない範囲において、当業者が必要に応じて行う設計変更、応用のバリエーションの範囲を含むことを念のため言及する。
【符号の説明】
【００３２】
１、７、７’８  吊り金具
１０、７０、７０’８０  吊り部
１１、７１、７１’８１  水平拡張部
１２、７２、７２’８２  抱持部
１２ａ、７２ａ、７２ａ’８２ａ  段部        
２              デッキプレート
２０            凸峰部
２１            水平面部
２１ａ          窪み部
２１ｂ          設置孔
２２            側面部
２２ａ          顎部
３              天井部材
４              断熱材
５              防水シート
６              吊りボルト
【図１】
0005795906.tif 000002
【図２】
0005795906.tif 000003
【図３】
0005795906.tif 000004
【図４】
0005795906.tif 000005
【図５】
0005795906.tif 000006
【図６】
0005795906.tif 000007
【図７】
0005795906.tif 000008
【図８】
0005795906.tif 000009
【図９】
0005795906.tif 000010
【図１０】
0005795906.tif 000011
【図１１】
0005795906.tif 000012
【図１２】
0005795906.tif 000013
【図１３】
0005795906.tif 000014
【図１４】
0005795906.tif 000015
【図１５】
0005795906.tif 000016
【図１６】
0005795906.tif 000017
【図１７】
0005795906.tif 000018